(57)【要約】【課題】オーディオサーバから携帯用のオーディオデータ再生装置への楽曲データの転送を容易に行えるようにする。【解決手段】大量の音楽データが蓄積されるオーディオサーバの表示部に、リスト編集画面３１０が表示される。エリア３００には、サーバに蓄積されている音楽データがリスト表示される。エリア３０１には、サーバから携帯記録再生装置に転送するデータがリスト表示される。ボタン３０２で、エリア３００内で選択されたデータがエリア３０１のリストに追加される。ボタン３０３で、エリア３０１内で選択されたデータがリストから削除される。所定の転送ボタンの操作により、エリア３０１に表示されたデータが一括して携帯装置に転送される。携帯装置がサーバに接続されていなくても、転送データの編集ができる。データは、リストにより管理され、複数のデータを一括して転送することができる。【選択図】図１０
2006221793.tif 000002
【特許請求の範囲】
【請求項１】
複数のコンテンツデータが記録された第１の記録媒体から選択された上記コンテンツデータを第２の記録媒体に転送するコンテンツデータ転送システムにおいて、
上記第２の記録媒体毎に備える各々異なる記録媒体識別情報を再生すると共に上記第１の記録媒体から転送されるコンテンツデータを上記第２の記録媒体に記録する記録再生装置と、
上記記録媒体識別情報と上記第１の記録媒体に記録されたコンテンツデータを所定の規則に基づいて分類する第２の集合体とを関連付ける第１の集合体を生成する第１の集合体生成手段と、
上記第１の集合体と関連付けて上記第２の集合体を生成する第２の集合体生成手段と、
上記第２の集合体から上記コンテンツデータの再生制御情報を生成する再生制御情報生成手段と、
上記記録再生装置にて再生される第２の記録媒体の記録媒体識別情報に基づいて生成される再生制御情報に基づいて上記第１の記録媒体に記録されたコンテンツデータを上記第２の記録媒体に記録されるように転送するコンテンツ転送制御手段と
を備えるコンテンツデータ転送システム。
【請求項２】
上記コンテンツ転送制御手段は、上記生成された再生制御情報が上記第２の記録媒体に記録されるように上記記録再生装置に転送する請求項１に記載のコンテンツデータ転送システム。
【請求項３】
上記第２の記録媒体から再生される記録媒体識別情報に基づいて新たに生成された再生制御情報と上記第２の記録媒体に記録された再生制御情報とが異なっていると判断された場合には、上記新たに生成された再生制御情報に基づいて上記第２の記録媒体に未記録のコンテンツデータを転送する請求項２に記載のコンテンツデータ転送システム。
【請求項４】
上記第１の記録媒体に記録されたコンテンツデータの各々は上記第１の記録媒体から他の記録媒体への記録可能回数によって管理され、上記第２の記録媒体に未記録のコンテンツデータの転送によって転送される各々のコンテンツデータの記録可能回数が減じられる請求項３に記載のコンテンツデータ転送システム。
【請求項５】
上記第２の記録媒体に未記録のコンテンツデータの転送が行われる場合には、上記新たに生成された再生制御情報が上記第２の記録媒体に記録されるように上記記録再生装置に送信される請求項３に記載のコンテンツデータ転送システム。
【請求項６】
上記新たに生成された再生制御情報に基づいて上記第２の記録媒体から上記新たに生成された再生制御情報に管理されないコンテンツデータを消去する請求項３に記載のコンテンツデータ転送システム。
【請求項７】
上記第１の記録媒体に記録されたコンテンツデータの各々は上記第１の記録媒体から他の記録媒体への記録可能回数によって管理され、上記第２の記録媒体から消去されたコンテンツデータの上記記録可能回数を増す請求項６に記載のコンテンツデータ転送システム。
【請求項８】
上記再生制御情報は、上記再生制御情報に管理されるコンテンツデータの再生順序を制御する情報である請求項１に記載のコンテンツデータ転送システム。
【請求項９】
上記第２の記録媒体は上記記録再生装置に着脱可能である請求項１に記載のコンテンツデータ転送システム。
【請求項１０】
上記再生制御情報の生成は、上記第２の記録媒体が上記記録再生装置に装着される毎に行われる請求項９に記載のコンテンツデータ転送システム。
【請求項１１】
複数のコンテンツデータが記録された第１の記録媒体から選択された上記コンテンツデータを記録再生装置にてデータが記録再生される第２の記録媒体に転送するコンテンツデータ転送方法において、
上記記録再生装置によって再生される上記第２の記録媒体毎に備える各々異なる記録媒体識別情報を受信し、
上記記録媒体識別情報と上記第１の記録媒体に記録されたコンテンツデータを所定の規則に基づいて分類する第２の集合体とを関連付ける第１の集合体から、上記第２の記録媒体から再生される記録媒体識別情報に基づいて上記第２の集合体を生成し
生成された上記第２の集合体から上記コンテンツデータの再生制御情報を生成し、
上記第２の記録媒体から再生される記録媒体識別情報に基づいて生成される再生制御情報に基づいて上記第１の記録媒体に記録されたコンテンツデータを上記第２の記録媒体に記録されるように上記記録再生装置に転送する
コンテンツデータ転送方法。
【請求項１２】
上記生成された再生制御情報が上記第２の記録媒体に記録されるように上記記録再生装置に転送する請求項１１に記載のコンテンツデータ転送方法。
【請求項１３】
上記第２の記録媒体から再生される記録媒体識別情報に基づいて新たに生成された再生制御情報と上記第２の記録媒体に記録された再生制御情報とが異なっていると判断された場合には、上記新たに生成された再生制御情報に基づいて上記第２の記録媒体に未記録のコンテンツデータを転送する請求項１２に記載のコンテンツデータ転送方法。
【請求項１４】
上記第１の記録媒体に記録されたコンテンツデータの各々は上記第１の記録媒体から他の記録媒体への記録可能回数によって管理され、上記第２の記録媒体に未記録のコンテンツデータの転送によって転送される各々のコンテンツデータの記録可能回数が減じられる請求項１３に記載のコンテンツデータ転送方法。
【請求項１５】
上記第２の記録媒体に未記録のコンテンツデータの転送が行われる場合には、上記新たに生成された再生制御情報が上記第２の記録媒体に記録されるように上記記録再生装置に送信される請求項１３に記載のコンテンツデータ転送方法。
【請求項１６】
上記新たに生成された再生制御情報に基づいて上記第２の記録媒体から上記新たに生成された再生制御情報に管理されないコンテンツデータを消去する請求項１３に記載のコンテンツデータ転送方法。
【請求項１７】
上記第１の記録媒体に記録されたコンテンツデータの各々は上記第１の記録媒体から他の記録媒体への記録可能回数によって管理され、上記第２の記録媒体から消去されたコンテンツデータの上記記録可能回数を増す請求項１６に記載のコンテンツデータ転送方法。
【請求項１８】
上記再生制御情報は、上記再生制御情報に管理されるコンテンツデータの再生順序を制御する情報である請求項１１に記載のコンテンツデータ転送方法。
【請求項１９】
上記第２の記録媒体は上記記録再生装置に着脱可能である請求項１１に記載のコンテンツデータ転送方法。
【請求項２０】
上記再生制御情報の生成は、上記第２の記録媒体が上記記録再生装置に装着される毎に行われる請求項１９に記載のコンテンツデータ転送方法。
【発明の詳細な説明】
【技術分野】
【０００１】
この発明は、蓄積的にデータが記憶された機器から他の機器へ、複数のデータを転送するようにされたコンテンツデータ転送システムおよびコンテンツデータ転送方法に関する。
【背景技術】
【０００２】
従来でも、多数のＣＤ(Compact Disc)を収納し、ＣＤの自動再生を行うようにされた、所謂ＣＤチェンジャが実用化されていた。このＣＤチェンジャでは、数１０枚乃至数１００枚のＣＤを一つの筐体に収納し、所定の操作により選択されたＣＤの再生を自動的に行う。ＣＤの再生は、ＣＤ毎に行うこともできるし、複数枚のＣＤを選択して、ＣＤ単位、あるいは収録されている曲単位でランダム再生を行うようにもできる。このＣＤチェンジャは、主に固定的に、すなわち室内に設置されて使用される。
【０００３】
一方、携帯用のオーディオデータ再生装置としては、近年、直径が略６４ｍｍの光磁気ディスクまたは光ディスクを用いた装置が普及しつつある。この携帯用のオーディオデータ再生装置は、アナログの音声信号をディジタル信号に変換し、ＡＴＲＡＣ(Adaptive Transform Acoustic Coding:商標) と称される圧縮技術によって圧縮して、光磁気ディスクに記録する。アナログ音声信号が圧縮されてディジタルデータとして記録されるため音質の劣化が少なく、記録媒体にディスクを用いているためランダム再生が可能であるというメリットがある。
【０００４】
ところが、上述のＣＤチェンジャにおいては、自動再生の際にも、ＣＤの交換時間が発生してしまうため、連続再生を実現するのが困難であった。１００枚や２００枚のＣＤを収納するようなＣＤチェンジャは、筐体が大きく、且つ重くなってしまい、持ち運びや設置に非常に不便であった。
【０００５】
上述した携帯用のオーディオデータ再生装置においても、一度光磁気ディスクに記録を行うと、再生する際には、記録された光磁気ディスクの範囲でしかランダム再生や一般的な再生を行えなかった。そのため、複数枚の光磁気ディスクでのランダム再生や曲指定再生などでは、いちいち光磁気ディスクを入れ替える必要があった。したがって、利用者は、いつも複数枚の光磁気ディスクまたは光ディスクを持ち歩かなければならなかった。
【０００６】
これらの問題点を解決するために、例えば上述のＣＤチェンジャにおいては、比較的小型で記録容量が大きいハードディスクドライブなどの記録媒体を用いたミュージックサーバが提案されている。ミュージックサーバでは、ＣＤに記録されているオーディオデータを読み出し、読み出されたオーディオデータを所定の方法で圧縮符号化し、ハードディスクドライブに記録および蓄積する。６ＧＢｙｔｅ程度の記録容量を有するハードディスクドライブを用いることで、１０００曲程度の音楽データを記録することができる。ミュージックサーバでは、上述のＣＤチェンジャのようにＣＤを交換する手間が要らないので、連続再生が容易であり、１台のハードディスクドライブに多数の音楽データを記録することができるため、筐体を小型化することが出来るという利点がある。
【０００７】
さらに、上述の携帯用のオーディオデータ再生装置において、記録または記憶媒体としてハードディスクドライブや半導体メモリを用いることが提案されている。上述したミュージックサーバとこの携帯用のオーディオデータ再生装置とを接続し、ミュージックサーバに蓄積されたオーディオデータを携帯用のオーディオデータ再生装置に転送して記録または記憶媒体に格納する。記録または記憶媒体の容量を例えば２００ＭＢ程度とすれば、利用者は、複数の光磁気ディスクまたは光ディスクを持ち歩かなくても済み、勿論、光磁気ディスクまたは光ディスクの入れ替えも行う必要がない。
【発明の開示】
【発明が解決しようとする課題】
【０００８】
ところで、上述したように、ミュージックサーバは、大量の音楽データを蓄積することができる。そのため、ミュージックサーバから携帯用のオーディオデータ再生装置への音楽データの転送を、転送する音楽データを１曲ずつ選択して行っていたのでは、ユーザは、同じ操作を繰り返すことになり、とても煩わしいという問題点があった。
【０００９】
また、これを解決するために、ミュージックサーバに蓄積された音楽データを選択してリストを作成し、このリストに登録されている音楽データをまとめて転送する方法も考えられる。しかしながら、ユーザがリストを作成する際に、単にリストを作成してミュージックサーバに多数蓄積されている音楽データの整理をしたいのか、転送する音楽データをまとめたいのかといった目的が不明確になりやすく、混乱する可能性があるという問題点があった。
【００１０】
したがって、この発明の目的は、オーディオサーバから携帯用のオーディオデータ再生装置への楽曲データの転送を容易に行えるような、コンテンツデータ転送システムおよびコンテンツデータ転送方法を提供することにある。
【課題を解決するための手段】
【００１１】
この発明は、上述した課題を解決するために、複数のコンテンツデータが記録された第１の記録媒体から選択されたコンテンツデータを第２の記録媒体に転送するコンテンツデータ転送システムにおいて、第２の記録媒体毎に備える各々異なる記録媒体識別情報を再生すると共に第１の記録媒体から転送されるコンテンツデータを第２の記録媒体に記録する記録再生装置と、記録媒体識別情報と第１の記録媒体に記録されたコンテンツデータを所定の規則に基づいて分類する第２の集合体とを関連付ける第１の集合体を生成する第１の集合体生成手段と、第１の集合体と関連付けて第２の集合体を生成する第２の集合体生成手段と、第２の集合体からコンテンツデータの再生制御情報を生成する再生制御情報生成手段と、記録再生装置にて再生される第２の記録媒体の記録媒体識別情報に基づいて生成される再生制御情報に基づいて第１の記録媒体に記録されたコンテンツデータを第２の記録媒体に記録されるように転送するコンテンツ転送制御手段とを備えるコンテンツデータ転送システムである。
【００１２】
また、この発明は、複数のコンテンツデータが記録された第１の記録媒体から選択されたコンテンツデータを記録再生装置にてデータが記録再生される第２の記録媒体に転送するコンテンツデータ転送方法において、記録再生装置によって再生される第２の記録媒体毎に備える各々異なる記録媒体識別情報を受信し、記録媒体識別情報と第１の記録媒体に記録されたコンテンツデータを所定の規則に基づいて分類する第２の集合体とを関連付ける第１の集合体から、第２の記録媒体から再生される記録媒体識別情報に基づいて第２の集合体を生成し生成された第２の集合体からコンテンツデータの再生制御情報を生成し、第２の記録媒体から再生される記録媒体識別情報に基づいて生成される再生制御情報に基づいて第１の記録媒体に記録されたコンテンツデータを第２の記録媒体に記録されるように記録再生装置に転送するコンテンツデータ転送方法である。
【００１３】
上述したように、この発明は、複数のコンテンツデータが記録された第１の記録媒体から選択されたコンテンツデータを記録再生装置にてデータが記録再生される第２の記録媒体に転送する際に、記録再生装置によって再生される第２の記録媒体毎に備える各々異なる記録媒体識別情報を受信し、記録媒体識別情報と第１の記録媒体に記録されたコンテンツデータを所定の規則に基づいて分類する第２の集合体とを関連付ける第１の集合体から、第２の記録媒体から再生される記録媒体識別情報に基づいて第２の集合体を生成し生成された第２の集合体からコンテンツデータの再生制御情報を生成し、第２の記録媒体から再生される記録媒体識別情報に基づいて生成される再生制御情報に基づいて第１の記録媒体に記録されたコンテンツデータを第２の記録媒体に記録されるように記録再生装置に転送するようにしているため、第１の記録媒体に記録されたコンテンツデータの第２の記録媒体への記録を、第２の記録媒体毎に制御することができる。
【発明の効果】
【００１４】
この発明によれば、ミュージックサーバから携帯記録再生装置への音楽データの転送を、転送リストを用いて一括的に行うことができるという効果がある。
【００１５】
また、転送リストは、ミュージックサーバ側で保持され、携帯記録再生装置のミュージックサーバへの装着が検出された後に、転送リストによる音楽データの転送が行われる。そのため、ミュージックサーバに携帯記録再生装置が装着されていなくても、転送リストの編集を行うことができる効果がある。
【００１６】
さらに、転送リストは、転送リスト編集画面によって編集されるため、ユーザは、現在のリスト編集の目的が分からなくなり混乱してしまうことが無くなる効果がある。
【００１７】
さらにまた、ミュージックサーバから携帯記録再生装置に音楽データを移動する際に用いられるプログラムリストは、転送リストに限定されているため、例えばミュージックサーバに蓄積されている音楽データの整理のために作成したプログラムリストを、不注意により音楽データの一括移動に用いてしまうことがないという効果がある。
【発明を実施するための最良の形態】
【００１８】
以下、この発明の実施の一形態を、図面を参照しながら説明する。図１は、この発明が適用されたミュージックサーバおよびミュージックサーバを用いたシステムを概略的に示している。ミュージックサーバ５０は、サーバ本体５１と左右のスピーカユニット５２Ｌ，５２Ｒとからなる。サーバ本体５１には、例えばＬＣＤ(Liquid Crystal Display)パネルからなる表示部５３と、ＣＤをサーバ本体５１に挿入するためのＣＤ挿入部５４とが設けられる。
【００１９】
なお、図１では省略されているが、サーバ本体５１の機能をユーザが操作するための複数の操作スイッチからなる操作部がサーバ本体５１に設けられる。サーバ本体５１の機能をリモートコマンダによって遠隔操作するための、例えば赤外線信号を受信する信号受信部を設けるようにしてもよい。サーバ本体５１は、後述するようにコントローラを有し、サーバ本体５１は、予め例えばＲＯＭに記憶される所定のプログラムに基づいてコントローラにより各種動作が制御される。
【００２０】
ユーザは、ＣＤ５５をＣＤ挿入部５４を介してサーバ本体５１に装填し、図示されない操作部を用いて所定の操作を行うことで、ＣＤ５５を再生し、ＣＤ５５より再生された再生信号をスピーカユニット５２Ｌ，５２Ｒから出力することによって、ＣＤ５５に記録されている音楽を楽しむことができる。ＣＤ５５が曲名などのテキストデータを含む場合は、表示部５３にテキストデータに基づいて曲名などが表示される。
【００２１】
ミュージックサーバ５０は、内部に例えばハードディスクによる大容量の記録媒体を有している。図示されない操作部を用いて所定の操作をすることによって、ＣＤ挿入部５４からサーバ本体５１に装填されたＣＤ５５から再生された再生データを、このハードディスクからなる記録媒体に記録することができる。この際、ＣＤ５５の標準の再生速度と同一の転送速度で記録する方法と、ＣＤ５５の標準の再生速度より高速の転送速度で記録を行う高速記録とを選択することができる。高速の転送速度で記録を行う場合には、所定の手続きで以て課金処理を行うことによって、ＣＤの選択またはＣＤに記録されている曲の選択と、ＣＤから再生された音楽データとしての再生データをＣＤの再生速度よりも速い転送速度で記録することができる。
【００２２】
ミュージックサーバ５０において、ＣＤ５５から再生された音楽データは、上述したＡＴＲＡＣなどの所定の方法で圧縮符号化され圧縮音楽データとされて記録され、例えば６ＧＢｙｔｅの容量を持つハードディスクに、１０００曲程度を記憶または格納できる。ハードディスクに記憶または格納された曲目のリストが例えば表示部５３に表示され、ユーザは、表示部５３に表示されている曲名リストに基づき、ハードディスクに記憶または格納されている曲のうちの任意の曲を選択して再生させることができる。ハードディスクは、ランダムアクセスが可能であるため、多数記憶または格納された音楽データを任意の順序で読み出して、連続再生させることが可能である。
【００２３】
圧縮符号化には様々な方法を用いることが可能であるが、この実施の一形態の例では、例えば米国特許５７１７８２１号に開示されているような、ＡＴＲＡＣ２(Adaptive Tranform Acoustic Coding 2) と称される方法が用いられている。これは、上述した携帯用オーディオデータ再生装置で用いられる圧縮符号化方式である、ＡＴＲＡＣを発展させたもので、聴覚の性質に基づくマスキング効果および最小可聴限の周波数依存性を利用し、変換符号化とエントロピー・コーディングとを併用して音声データの圧縮符号化を行う。比較的小規模なハードウェアで、高音質を維持しつつ、高速にエンコード／デコードを行うことができる。
【００２４】
このミュージックサーバ５０は、例えば公衆電話回線である通信回線６１を介して外部のシステム、例えばインターネットに接続されたサーバであるインターネットサーバ６０に接続できる。ミュージックサーバ５０から通信回線６１を介してこのインターネットサーバ６０に接続することで、インターネット上にある様々な情報を得ることができる。インターネットサーバ６０は、例えば市販の音楽ＣＤのタイトル情報などのデータベースを有する。ユーザには、このデータベースを利用するための個有のキーを与え、データベースを利用する際に個有のキーを操作することによって、ＣＤに付随したデータ、例えばＣＤのタイトル情報を得ることができる。
【００２５】
インターネットサーバ６０では、ユーザに供給するサービスに応じてミュージックサーバ５０に対する課金処理も行う。上述した、ＣＤ５５の上述した高速記録を行う場合は、インターネットサーバ６０にミュージックサーバ５０が高速記録を行う旨のデータの通信を行うことによって、高速記録を行うユーザに対する課金処理が行われ、ＣＤの選択や曲の選択、ならびに、高速記録の実行が可能とされる。
【００２６】
なお、ここでは、課金処理を、ＣＤの付加情報を多数有するインターネットサーバ６０で行うこととしたが、これは上述した例に限定されない。例えば、インターネットに接続された別のサーバで上述した課金処理を行うようにしてもよい。インターネットとは別の、例えば専用のネットワークで以て上述した課金処理を行うようにすることも可能である。
【００２７】
携帯記録再生装置７０は、ハードディスクあるいはフラッシュメモリからなる記憶媒体を有する。音楽の再生速度に追従できるのであれば、他の記憶媒体または記録媒体を利用することもできる。この携帯記録再生装置７０を接続線７１で以てミュージックサーバ５０と接続することによって、ミュージックサーバ５０に記録されている音楽データを携帯記録再生装置７０に転送し、携帯記録再生装置７０の記憶媒体に記録することができる。このとき、ミュージックサーバ５０側では、装置７０に転送された音楽データは、ハードディスクやフラッシュメモリの記憶媒体上には存在するが再生不可の状態にされる。携帯記録再生装置７０で用いられる記憶媒体まらは記録媒体は、例えば２００ＭＢｙｔｅ程度の容量とされ、数１０曲分の音楽データの記憶または格納することができる。なお、以下の説明では、フラッシュメモリなどの半導体メモリからなる記憶素子または記憶媒体と、ハードディスクなどのディスク状記録媒体などの記録媒体を総称して、記憶媒体と称することにする。
【００２８】
この発明において用いられる上述の転送方法、すなわち、音楽データを転送した場合、転送先の記憶媒体に音楽データが記録されると共に、転送元の記憶媒体においては、転送された音楽データが記憶媒体上には存在するが再生不可の状態にされることを、「移動」と称する。このように移動することで、音楽データの無制限な複製を防ぐことができる。
【００２９】
なお、上述した例では、ミュージックサーバ５０と携帯記録再生装置７０とが接続線７１で接続されるとしたが、これはこの例に限定されない。例えば、ミュージックサーバ５０および携帯記録再生装置７０とに、互いに対応する装着部を設け、ミュージックサーバ５０に携帯記録再生装置７０を直接装着してサーバ５０と装置７０との間でデータのやり取りを行うようにできる。電気的な接続だけでなく、例えば赤外線信号によりデータのやり取りを行うＩｒＤＡ(Infrared Data Association) に対応したインターフェイスをサーバ５０と装置７０との双方に設け、赤外線信号により音楽データの転送をサーバ５０と装置７０との間で行うようにしてもよい。
【００３０】
さらに、ミュージックサーバ５０に所定のインターフェイスを設けることで、様々なメディアと情報交換を行うことができるようになる。例えば、サーバ５０にＰＣカード８０に対応したインターフェイスを設けることで、ＰＣカード８０で配信される音楽データをミュージックサーバ５０に取り込んだり、パーソナルコンピュータとミュージックサーバ５０との間でデータのやり取りを行うことが可能となる。サーバ５０に光ケーブルなどによるシリアルなディジタルインタフェースを設けることによって、例えば直径６４ｍｍの小型の光磁気ディスクを用いるディスクレコーダ８１のような、他のディジタル音楽データ記録再生装置との音楽データのやり取りを行うことが可能となる。この例では、ディスクレコーダ８１に上述した小型の光磁気ディスクが収納されたディスクカートリッジ８２が装着され、ディスクカートリッジ８２の光磁気ディスクから再生された音楽データがミュージックサーバ５０に対して供給される。同様にして、サーバ５０にＩＥＥＥ１３９４などのインターフェイスを設け、例えばＣＡＴＶ(Cable Television)や衛星放送などのためのセットトップボックス８３を接続するようにもできる。
【００３１】
ＰＣカードは、米国のＰＣＭＣＩＡ(Personal Memory Card International Association)と日本のＪＥＩＤＡ（日本電子工業振興会）の共同制定による、パーソナルコンピュータ用のカード型周辺機器の規格である。ＩＥＥＥ１３９４は、米国電気電子技術者協会に採択されたインターフェイス規格である。
【００３２】
ミュージックサーバ５０は、内蔵アプリケーションとして、ＷＷＷ(World Wide Web)ブラウザを持つようにできる。通信回線６１を介してインターネットサーバ６０と接続することによって、インターネット上にある、例えばＨＴＭＬ(Hypertext Markup Language) によって記述された様々なコンテンツを検索し、表示部５３上に表示させることができる。
【００３３】
このような構成で以て、ユーザは、例えばミュージックサーバ５０に記憶または格納されている音楽データを再生してスピーカユニット５２Ｌ，５２Ｒで聴くことができると共に、ＣＤ５５をＣＤ挿入部５４を介してサーバ５０に装填して、ＣＤ５５を再生することができる。
【００３４】
ミュージックサーバ５０とインターネットサーバ６０とで通信を行うことによって、ＣＤ挿入部５４を介してサーバ５０に装填されたＣＤ５５のタイトル情報などを、通信回線６１を介してサーバ６０から自動的に得ることができる。サーバ６０から得られた情報は、ミュージックサーバ５０内に保存されると共に、保存されたタイトル情報は、必要に応じてサーバ５０の表示部５３に表示される。
【００３５】
より具体的には、ミュージックサーバ５０からインターネットサーバ６０に対して、サーバ５０のユーザＩＤデータなどのユーザ個有の情報（以下、ユーザ情報と称する）が送られる。インターネットサーバ６０側では、受け取ったユーザ情報に基づき、照合処理や課金処理が行われる。また、ミュージックサーバ５０からインターネットサーバ６０に対して、ユーザで必要とするＣＤまたは再生しているＣＤのメディア情報が送られる。インターネットサーバ６０では、受け取ったメディア情報に基づき、例えば曲のタイトル，演奏者名，作曲者や作詞者名，歌詞，ジャケットイメージといった、音楽データに対する付加情報の検索が行われる。そして、インターネットサーバ６０では、ユーザから要求されたＣＤに関する所定の情報をミュージックサーバ５０に返信する。
【００３６】
例えば、メディア情報として、ＣＤ５５のＴＯＣ(Table Of Contents) 情報をインターネットサーバ６０に対して送る。インターネットサーバ６０には、このＴＯＣ情報に基づいて上述の音楽データに対する付加情報が検索可能なデータベースが構築されている。インターネット上の他のＷＷＷサーバを検索することで付加情報を得るようにしてもよい。インターネットサーバ６０は、受け取ったＴＯＣ情報をメディア情報として、音楽データの付加情報の検索を行う。これは、例えば、ＴＯＣ情報に含まれる、ＣＤ５５に収録されている楽曲それぞれの時間情報に基づき検索することが可能である。
【００３７】
検索されて得られた付加情報がインターネットサーバ６０からミュージックサーバ５０に送られる。ミュージックサーバ５０では、受信した付加情報が表示部５３に表示されると共に、後述するＣＰＵ８により、例えばハードディスクドライブにＣＤ５５のＴＯＣ情報と共に書き込まれる。なお、検索された付加情報をＨＴＭＬファイルに埋め込んでサーバ６０から送ることで、ミュージックサーバ５０において、内蔵されるＷＷＷブラウザソフトで付加情報の表示を行うことができる。
【００３８】
付加情報にインターネット上の他のＵＲＬ(Uniform Resource Locator)が記述されていれば、このミュージックサーバ５０においてその他のＵＲＬで示される、インターネット上のホームページなどにアクセスするようにできる。
【００３９】
さらに、インターネットサーバ６０とサーバ５０との間でデータの通信を行うことによって、ＣＤ挿入部５４を介してサーバ５０に装填されたＣＤ５５の音楽データを、ミュージックサーバ５０の記憶媒体に、ＣＤ５５の規定されている標準の再生速度よりも高速で、例えばＣＤ５５の１枚分の音楽データを２分程度で記録することができる。インターネットサーバ６０とサーバ５０との間で通信を行わないときには、ＣＤ５５の規定されている標準の再生速度と等しい速度、１倍速でサーバ５０の記憶媒体に記録される。
【００４０】
サーバ５０は、携帯記録再生装置７０と接続線７１で接続することで、ミュージックサーバ５０に記憶または格納されている音楽データを携帯再生装置７１に転送して移動することができる。移動された音楽データは、サーバ５０と装置７１とが接続線７１によって接続されていない状態でも、携帯記録再生装置７０で再生することができ、例えばヘッドホン７２で聴くことができる。転送され移動された音楽データは、ミュージックサーバ５０では、再生不可の状態とされる。
【００４１】
図２は、ミュージックサーバ５０の構成の一例を示す。先ず、このミュージックサーバ５０において、通常のパーソナルコンピュータの構成と同様に、互いにバスで結合されたＲＡＭ５，ＲＯＭ６，フラッシュメモリ７，およびＣＰＵ８とが設けられる。ＣＰＵ８がバス４０に接続される。ＣＰＵ８がコントローラとして機能し、ミュージックサーバ５０の全体の動作が制御される。
【００４２】
ＲＯＭ６には、このミュージックサーバ５０の動作を制御するためのプログラムが予め記憶される。ミュージックサーバ５０において、このプログラムに基づき、ＣＰＵ８が後述する入力操作部１の操作に対応した動作を実行させる。ＲＡＭ５，フラッシュメモリ７には、プログラムを実行する上でのデータ領域、タスク領域が一時的に確保される。ＲＯＭ６にはプログラムローダが記憶されており、ＲＯＭ６のプログラムローダにより、フラッシュメモリ７にプログラム自体がロードされることも可能である。
【００４３】
入力操作部１は、例えば、複数のプッシュ式および回動式のキー操作キーと、これらの操作キーによって各々操作されるスイッチなどからなる。入力操作部１は、これに限らず、ジョグダイヤルと呼ばれる回動プッシュ式の操作キー、ＬＣＤ上のタッチパネルなどでもかまわない。勿論、押下することで反応するスイッチ機構を用いることもできる。この入力操作部１の操作に応じた信号がバス４０を介してＣＰＵ８に供給される。ＣＰＵ８において、入力操作部１からの信号に基づきミュージックサーバ５０の動作を制御するための制御信号が生成される。ミュージックサーバ５０は、ＣＰＵ８で生成された制御信号に応じて動作される。
【００４４】
バス４０に対して、赤外線インタフェース（ＩｒＤＡ  Ｉ／Ｆ）ドライバ３および／またはＵＳＢ(Universal Serial Bus)ドライバ４が接続される。これらのドライバ３、４に対してキーボード２が通信あるいは接続可能なようにされている。キーボード２を用いることによって、例えば記録される音楽データに対応する曲名、アーティスト名等の入力を容易に行うことができる。また、赤外線インターフェースドライバ３あるいはＵＳＢドライバ４を介してデータ転送を行うように構成してもよい。なお、これら赤外線インターフェイス３およびＵＳＢドライバ４は、省略することが可能である。
【００４５】
ＣＤ−ＲＯＭドライブ９がバス４０に接続され、ＣＤ−ＲＯＭドライブ９に、上述したようにディスク挿入部５４から挿入されたＣＤ５５が装填される。このＣＤ−ＲＯＭドライブ９では、セットされたＣＤ５５から規定されている標準の再生速度で以て音楽データが読み出される。また、このＣＤ−ＲＯＭドライブ９では、規定されている標準の再生速度よりも高速な、例えば規定されている標準の再生速度の１６倍や３２倍といった速度で、ＣＤ５５の音楽データを読み出すことができる。
【００４６】
なお、ＣＤ−ＲＯＭドライブ９は、上述の例に限らず、音楽データが記憶されている他のディスク状の記録媒体、例えば光磁気ディスクやＤＶＤ(Digital Versatile Disc)に対応するようにしてもよい。メモリカードに対応したドライブを用いることもできる。さらに、ＣＤ−ＲＯＭドライブ９から読み出されるデータは、音楽データに限られない。画像データやテキストデータ、プログラムデータなどを読み出すようにもできる。
【００４７】
バス４０に対して、ハードディスクドライブ（以下、ＨＤＤと略称する）１０が接続される。ＨＤＤ１０には、ＣＤ−ＲＯＭドライブ９から読み出された音楽データが記録される。ＨＤＤ１０に音楽データが記録される前処理として、ＣＤ−ＲＯＭドライブ９で読み出された音楽データは、バス４０ならびにオーディオ用のＤＲＡＭ１１を介して、圧縮エンコーダ１２に供給される。
【００４８】
圧縮エンコーダ１２では、例えば、上述した例えば米国特許５７１７８２１号などに開示されている圧縮方法によって音楽データの圧縮符号化処理が行われる。なお、圧縮エンコーダ１２による音楽データの圧縮の速度は、ＣＰＵ８の制御に基づき、低速および高速の２つの速度が用意される。低速圧縮速度は、ＣＤ−ＲＯＭドライブ９でＣＤ５５に規定されている標準の再生速度に対応する。圧縮の速度は、例えばＣＤ−ＲＯＭドライブ９によるＣＤ５５の再生速度に応じて切り替えられる。圧縮エンコーダ１２において、例えば、圧縮速度に応じたエンコードアルゴリズムが駆動される。
【００４９】
なお、圧縮エンコーダ１２における圧縮速度の変更は、上述した方法に限定されない。例えば、圧縮エンコーダ１２のクロック周波数を切り替えることによって行ってもよいし、それぞれ別のハードウェアを用意するようにしてもよい。さらに、高速圧縮が可能な圧縮エンコーダ１２において、処理を間引きして行い低速圧縮速度に対応するようにしてもよい。
【００５０】
圧縮エンコーダ１２で圧縮符号化された圧縮音楽データは、ＤＲＡＭ１１を介してＨＤＤ１０に記録され蓄積される。
【００５１】
ここで、圧縮エンコーダ１２により圧縮符号化された圧縮音楽データがＨＤＤ１０に蓄積されるように構成されているが、ＣＤ−ＲＯＭドライブ９から読み出される音楽データを直接的にＨＤＤ１０に供給してＨＤＤ１０のハードディスクに記録ならびに蓄積するようにもできる。
【００５２】
この例では、端子１３に接続されたマイクロホンからアンプ１４を介して入力される音声信号や、ライン入力端１５から入力される音声信号がＡ／Ｄコンバータ１６を介して圧縮エンコーダ１２に供給される。これらの音声信号をエンコーダ１２で圧縮符号化してＨＤＤ１０に記録することができる。さらに、光ディジタル信号が光ディジタル入力端１７からＩＥＣ９５８（International Electrotechnical Commission 958 ）エンコーダ１８を介して圧縮エンコーダ１２に供給される。光ディジタル信号として供給された音声信号をエンコーダ１２で圧縮符号化してＨＤＤ１０のハードディスクに記録することが可能である。
【００５３】
上述した例では、圧縮エンコーダ１２は、例えば米国特許５７１７８２１に開示されているようなエンコードアルゴリズムを用いている場合を例示したが、上述した例に限定されない。すなわち、圧縮エンコーダ１２では、情報圧縮されるエンコードアルゴリズムであれば、他のものを用いることも可能である。圧縮エンコーダ１２は、例えば、ＭＰＥＧ（moving picture coding experts group ）、ＰＡＳＣ（precision adaptive sub-band coding）、ＴｗｉｎＶＱ（商標）、ＲｅａｌＡｕｄｉｏ（商標）、ＬｉｑｕｉｄＡｕｄｉｏ（商標）といったエンコードアルゴリズムを用いるようにしてもよい。
【００５４】
バス４０に対してモデム２０が接続される。モデム２０には、例えば公衆電話回線やＣＡＴＶ、あるいはワイヤレス通信といった外部ネットワーク１９が接続される。このミュージックサーバ５０は、モデム２０によって外部ネットワーク１９を介しての通信が可能とされる。
【００５５】
外部ネットワーク１９を介して、ミュージックサーバ５０が例えばインターネットに接続され、ミュージックサーバ５０と、遠隔地のインターネットサーバ６０との間で通信が行われる。ミュージックサーバ５０からインターネットサーバ６０に対して、リクエスト信号やＣＤ−ＲＯＭドライブ９に装着されているＣＤ５５に関連する情報であるメディア情報、ミュージックサーバ５０のそれぞれに予め与えられたユーザＩＤデータならびにユーザ情報、また、ユーザに対する課金情報などの各種情報が送信、送出される。
【００５６】
メディア情報ユーザ情報などの各種情報がインターネットサーバ６０に送信され、サーバ６０は受信したユーザＩＤデータなどのユーザ情報に基づき、照合処理や課金処理が行われると共に、受信したメディア情報に基づき、音楽データの付加情報が検索され、ミュージックサーバ５０に返される。
【００５７】
ここでは、音楽データの付加情報を返信する例を示したが、ユーザの要求に基づき、音楽データが外部ネットワーク１９から直接的に供給されるようにすることも可能である。すなわち、ユーザは、ミュージックサーバ５０を用いてインターネットサーバ６０から音楽データをダウンロードすることができる。メディア情報に対応して音楽データが返信されるようにできる。これによれば、例えば、所定のＣＤ５５のボーナストラックが配信により取得されるようにできる。
【００５８】
圧縮エンコーダ１２により圧縮符号化されてＨＤＤ１０に記録され蓄積された圧縮音楽データは、再生のためにＨＤＤ１０から読み出されると、バス４０を介して圧縮デコーダ２１に供給される。ＨＤＤ１０から読み出された圧縮音楽データは、圧縮デコーダ２１で圧縮符号化を解かれ、Ｄ／Ａコンバータ２２およびアンプ２３を介して端子２４に導出される。端子２４からスピーカユニット５２Ｌ，５２Ｒに対して供給され、音楽が再生される。なお、図２では省略されているが、Ｄ／Ａコンバータ２２からアンプ２３を介して端子２４に到る経路は、ステレオ出力に対応して２系統設けられる。同様に、端子２４も、ステレオに対応して２つ設けられている。
【００５９】
圧縮デコーダ２１では、圧縮エンコーダ１２におけるエンコードアルゴリズムに対応したデコードアルゴリズムが用いられる。この圧縮デコーダ２１および上述の圧縮エンコーダ１２は、ハードウェアを持たずに、ＣＰＵ８によるソフトウェア処理であってもよい。
【００６０】
表示部５３を構成する液晶表示素子（以下、ＬＣＤと略称する）２６がＬＣＤ駆動回路２５を介してバス４０に接続される。ＣＰＵ８からバス４０を介してＬＣＤ駆動回路２５に描画制御信号が供給される。供給された描画制御信号に基づきＬＣＤ駆動回路２５によってＬＣＤ２６が駆動され、表示部５３に所定の表示がなされる。
【００６１】
ＬＣＤ２６には、例えば、ミュージックサーバ５０の操作メニューが表示される。ＬＣＤ２６には、ＨＤＤ１０に記録され蓄積された圧縮音楽データの、例えばタイトルリストが表示される。ＬＣＤ２６へのタイトルリストの表示は、インターネットサーバ６０から送信されてきた付加情報をデコードしたデータに基づくデータがＨＤＤ１０に供給されているので、ＨＤＤ１０に記憶されているデータに基づいて行われる。さらに、ＬＣＤ２６には、例えば選択され再生される圧縮音楽データに対応するフォルダやジャケットイメージがインターネットサーバ６０から送信されてきた付加情報に基づいて表示される。
【００６２】
このＬＣＤ２６の表示に基づき、入力操作部１のポインティングデバイスや、キーボード２を操作することで、ＣＰＵ８は、指示された音楽データの再生制御を行う。選択された音楽データの消去や、選択された音楽データの外部の機器への複製や移動の制御も、ＬＣ２６の表示に基づき行うことが可能である。例えば、入力操作部１がＬＣＤ２６上に設けられたタッチパネルである場合、ＬＣＤ２６の表示に従いタッチパネルを触れることで、ミュージックサーバ５０の操作を行うことができる。このように、ＬＣＤ２６をインタフェースとして、ＨＤＤ１０に記録され蓄積された音楽データがユーザにより管理ならびに制御される。
【００６３】
この実施の第１の形態では、ミュージックサーバ５０と外部の一般的な情報機器とのインターフェイスとして、ＩＥＥＥ１３９４とＰＣカードに対応している。バス４０に対して、ＩＥＥＥ１３９４ドライバ２９を介してＩＥＥＥ１３９４インターフェイス２８が接続される。同様に、バス４０に対して、ＰＣカードドライバ３０を介してＰＣカードスロット３１が接続される。
【００６４】
ＩＥＥＥ１３９４インターフェイス２８によって、ミュージックサーバ５０と例えばパーソナルコンピュータとの間で、データのやり取りを行うことができる。ＩＥＥＥ１３９４インターフェイス２８によって、衛星放送用のＩＲＤ(Integrated Reciever/Decorder)や、直径略６４ｍｍの小型の光磁気ディスクや光ディスク，ＤＶＤ(Digital Versatile Disc:商標) ，ディジタルビデオテープなどから音楽データを取り込むようにできる。ＰＣカードスロット３１にＰＣカードを装着することで、外部記憶装置やその他のメディアドライブ、あるいは、モデム，ターミナルアダプタ，キャプチャボードなどの様々な周辺機器の拡張が容易である。
【００６５】
インターフェイス３４は、このミュージックサーバ５０と、対応する他の記録再生装置との間で音楽データなどのやり取りを行うためのインターフェイスである。他の記録再生装置には、例えば上述の図１に示される、携帯記録再生装置７０が適用される。これに限らず、他の記録再生装置は、別のミュージックサーバ５０であってもよい。
【００６６】
バス４０に対して、インターフェイスドライバ３３を介してインターフェイス３４が接続される。対応する他の記録再生装置には、インターフェイス３４と対になるインターフェイス３５が設けられている。インターフェイス３４および３５とを所定の接続線７１で電気的に接続することで、例えば、ＨＤＤ１０に記録され蓄積された音楽データを、ミュージックサーバ５０から他の記録再生装置に転送することができる。
【００６７】
図３は、ＣＤ−ＲＯＭドライブ９で読み出された音楽データがＨＤＤ１０に記録されるまでの信号の流れを、概略的に示す。ＣＤ−ＲＯＭドライブ９から読み出された音楽データは、バス４０を介して、一旦バッファメモリとしてのＤＲＡＭ１１に記憶される。ＤＲＡＭ１１から音楽データが所定のタイミングで読み出され、バス４０を介して圧縮エンコーダ１２に供給される。圧縮エンコーダ１２は、上述したように、ＣＤ−ＲＯＭドライブ９の再生速度に応じた所定の圧縮速度とされている。音楽データは、圧縮エンコーダ１２で圧縮符号化され、再びバッファメモリとしてのＤＲＡＭ１１に一旦記憶される。ＤＲＡＭ１１から所定のタイミングで読み出された圧縮音楽データがバス４０を介してＨＤＤ１０に供給され、ＨＤＤ１０のハードディスクに記録される。このとき、上述したように、インターネットサーバ６０にＣＤ−ＲＯＭドライブ９で再生されているＣＤ５５の情報を送信し、サーバ６０から送信されてきたＣＤ５５の付加情報もＨＤＤ１０のハードディスクに記録され、ＣＤ５５から読み出された音楽データに基づく圧縮音楽データと共に、一つのデータとしてＣＰＵ８などによって管理される。
【００６８】
図４は、ＨＤＤ１０から読み出された圧縮音楽データが再生処理されて端子２４に導出されるまでの信号フローを、概略的に示す。ＨＤＤ１０から読み出された圧縮音楽データは、バス４０を介して、バッファメモリとしてのＤＲＡＭ１１に一旦記憶される。そして、ＤＲＡＭ１１から圧縮音楽データが所定のタイミングで読み出され、バス４０を介して圧縮デコーダ２１に供給される。圧縮音楽データは、圧縮デコーダ２１で圧縮符号化を解かれ、音楽データとされてＤ／Ａコンバータ２２に供給される。そして、音楽データは、Ｄ／Ａコンバータ２２でアナログ音声信号に変換され、アンプ２３で増幅され端子２４に再生出力として導出される。端子２４にスピーカが接続されていれば、スピーカで再生された音楽を楽しむことができる。この際、ＨＤＤ１０のディスクから圧縮音楽データと共に読み出された付加情報は、ＣＰＵ８などによってデコードされて、表示部５３に曲名などが表示される。
【００６９】
図５は、この他の記録再生装置として用いられる、携帯記録再生装置７０の構成の一例を示す。この携帯記録再生装置７０は、概ね、上述の図２に示したミュージックサーバ５０と同等の構成を有する。この携帯記録再生装置７０は、通常は、ミュージックサーバ５０側のインターフェイス３４と携帯記録再生装置７０側のインターフェイス３５とが切り離され、単体として携帯されて用いられる。
【００７０】
先ず、この携帯記録再生装置７０において、通常のパーソナルコンピュータの構成と同様に、互いにバスで結合されたＲＡＭ１０３，ＲＯＭ１０４，およびＣＰＵ１０５とが設けられる。勿論、上述のミュージックサーバ５０の構成と同様に、フラッシュメモリを設けるようにしてもよい。ＣＰＵ１０５がバス１３０に接続される。ＣＰＵ１０５がコントローラとして機能し、ＣＰＵ１０５によって携帯記録再生装置７０の全体の動作が制御される。
【００７１】
ＲＯＭ１０４には、この携帯記録再生装置７０の動作を制御するためのプログラムが予め記憶される。携帯記録再生装置７０において、このプログラムに基づき、後述する入力操作部１０２の操作に対応した動作がなされる。ＲＡＭ１０３には、プログラムを実行する上でのデータ領域、タスク領域が一時的に確保される。
【００７２】
入力操作部１０２は、例えば、複数のプッシュ式および回動式の操作キーと、これらの操作キーによって操作される複数のスイッチからなる。入力操作部１０２は、これに限らず、ジョグダイヤルと呼ばれる回動プッシュ式の操作子、後述するＬＣＤ上のタッチパネルなどでもかまわない。勿論、押下することで反応する機械的なスイッチ機構を用いることもできる。この入力操作部１０２の操作に応じた信号がバス１３０を介してＣＰＵ１０５に供給される。ＣＰＵ１０５は、入力操作部１０２の操作キーを操作することによって発生する出力信号に基づき携帯記録再生装置７０の動作を制御するための制御信号が生成される。携帯記録再生装置７０は、ＣＰＵ１０５で生成された制御信号に基づいて動作が切り替えられると共に動作が制御される。
【００７３】
ミュージックサーバ５０において、ＨＤＤ１０から読み出され、この携帯記録再生装置７０に対する転送を指示された音楽データは、インターフェイス３４，インターフェイス３５，およびインターフェイス３４とインターフェイス３５とを接続する接続線を介して、この携帯記録再生装置７０に転送または供給される。このとき同時に、転送を指定された音楽データと共に、転送を指示された音楽データの付加情報も装置７０に送信される。また、ミュージックサーバ５０と携帯記録再生装置７０とに、互いに対応する装着部が各々設けられている場合は、インターフェイス３４とインターフェイス３５とが直接的に接続され、サーバ５０と装置７０との間で音楽データの転送が行われる。さらに、装置７０とサーバ５０の双方にＩｒＤＡによるインターフェイスが設けられている場合は、赤外線信号で以てサーバ５０と装置７０との間で音楽データの転送が行われる。
【００７４】
サーバ５０から装置７０に転送され供給された音楽データは、インターフェイスドライバ１０１からバス１３０を介して、この携帯記録再生装置７０の音楽データ記録媒体であるＨＤＤ１０６に供給され、ＨＤＤ１０６のハードディスクに記録される。
【００７５】
なお、この携帯記録再生装置７０の音楽データ記録媒体としては、ＨＤＤ１０６に限らず、例えばフラッシュメモリを用いることもできる。音楽データの再生速度に追従できるものであれば、音楽データの記録媒体として、例えば光磁気ディスクといった他の記録媒体を用いることもできる。装置７０の音楽データ記録媒体としては、例えば２００ＭＢｙｔｅ程度の記憶容量のものを用いることによって、数１０曲が記録可能である。装置７０のＨＤＤ１０６のディスクには、サーバ５０から送信されてきた音楽データと当該音楽データの付加情報も記録される。
【００７６】
この例では、転送されＨＤＤ１０６に記録される音楽データは、既にミュージックサーバ５０において圧縮符号化されが圧縮音楽データである。この携帯記録再生装置７０では、この例に限らず、圧縮符号化されていない音楽データを供給され、ＨＤＤ１０６のハードディスクに記録することもできる。例えば、ミュージックサーバ５０のＣＤ−ＲＯＭドライブ９に装着されたＣＤ５５から再生され読み出された音楽データを、インターフェイスドライバ１０１を介して、直接携帯記録再生装置７０に供給する。但し、直接装置７０に供給する場合には、記録可能な音楽データの数が大幅に制限されることはいうまでもない。
【００７７】
ＨＤＤ１０６のハードディスクに音楽データが記録される前処理として、供給された音楽データは、バス１３０に接続されるオーディオ用のＤＲＡＭ１０７に対して一時的に記憶される。ＤＲＡＭ１０７から読み出された音楽データがバス１３０を介して圧縮エンコーダ１０８に供給される。圧縮エンコーダ１０８は、ミュージックサーバ５０における圧縮エンコーダ１２と同等のエンコードアルゴリズムによって音楽データの圧縮符号化処理を行う。圧縮エンコーダ１０８で圧縮符号化された圧縮音楽データは、ＤＲＡＭ１０７に供給され、再びＤＲＡＭ１０７に一時的に記憶される。最終的に、このＤＲＡＭ１０７に記憶された圧縮音楽データが読み出され、ＨＤＤ１０６のハードディスクに記録される。
【００７８】
上述したように、ミュージックサーバ５０においてＨＤＤ１０に蓄積されている圧縮音楽データが移動を指示されてこの携帯記録再生装置７０に送信、転送されたときには、ＨＤＤ１０の圧縮音楽データは、ＨＤＤ１０上にデータとして存在するがＨＤＤ１０から読み出して再生することのできない状態とされる。装置７０に移動された圧縮音楽データは、再び移動元の記録媒体、すなわち、サーバ５０のＨＤＤ１０に戻されることで、移動元、すなわち、サーバ５０で再生することができる。このとき、移動先の記録媒体としての装置７０のＨＤＤ１０６のハードディスクからは、サーバ５０に戻された圧縮音楽データが削除される。
【００７９】
この例では、端子１０９に接続されたマイクロホンからアンプ１１０を介して入力される音声信号や、ライン入力端１１１から入力される音声信号がＡ／Ｄコンバータ１１２を介して圧縮エンコーダ１０８に供給される。圧縮エンコーダ１０８でＡ／Ｄコンバータ１１２から供給された音声信号に圧縮符号化処理を施してＨＤＤ１０６に記録することができる。さらに、光ディジタル信号が光ディジタル入力端１１３からＩＥＣ９５８エンコーダ１１４を介して圧縮エンコーダ１０８に供給される。光ディジタル信号として供給された音声信号をエンコーダ１０８で圧縮符号化処理を施してＨＤＤ１０６のハードディスクに記録することができる。装置７０が圧縮された音楽データを再生するのみの再生専用の携帯再生装置であれば、上述したＡ／Ｄコンバータ１１２、エンコーダ１０８などを全て省略することもできる。
【００８０】
ＨＤＤ１０６から圧縮音楽データが再生のために読み出され、バス１３０を介して圧縮デコーダ１１５に供給される。圧縮デコーダ１１５で、供給された圧縮音楽データに伸長処理を施されて圧縮符号化を解かれた音楽データは、Ｄ／Ａコンバータ１１６およびアンプ１１７を介して端子１１８に導出される。端子１１８には、例えばヘッドホン７２が接続される。ユーザは、このヘッドホン７２を装着することによって、再生された音楽を聴くことができる。なお、図５では省略されているが、Ｄ／Ａコンバータ１１６からアンプ１１７を介して端子１１８に到る信号経路は、Ｌ−チャンネル、Ｒ−チャンネルのステレオ出力に対応して２系統設けられる。同様に、端子１１８も、Ｌ−チャンネル、Ｒ−チャンネルのステレオに対応して２つ設けられている。
【００８１】
ＬＣＤ１２０がＬＣＤ駆動回路１１９を介してバス１３０に接続される。ＣＰＵ１０５からバス１３０を介してＬＣＤ駆動回路１１９に対して描画制御信号が供給され、ＬＣＤ１２０が供給された描画制御信号に基づいて駆動されてＬＣＤ１２０に所定の表示がなされる。ＬＣＤ１２０には、携帯記録再生装置７０の操作メニューやＨＤＤ１０６に記憶された音楽データのタイトルリストなどが表示される。ＬＣＤ１２０に、例えばＨＤＤ１０６に記憶されている音楽データから選択され再生される音楽データに対応するフォルダやジャケットイメージをＨＤＤ１０６に記憶されている付加情報に基づいて表示させるようにしてもよい。
【００８２】
このＬＣＤ１２０の表示に基づき、ユーザが入力操作部１０２のポインティングデバイスを操作することで、ＨＤ１０６に記憶されている圧縮音楽データのうちの一つの圧縮音楽データが選択され、再生される。選択された圧縮音楽データの消去や複製ならびに移動の制御も、ＬＣ１２０の表示に基づき行うことが可能である。例えば、ＬＣＤ１２０の表示に従い、ユーザが入力操作部１０２のタッチパネルを触れることで、携帯記録再生装置７０の操作入力を行うことができる。このように、ＬＣＤ１２０をインタフェースとして、ＨＤＤ１０６に記録された圧縮音楽データがユーザにより管理ならびに記録、再生などが制御される。
【００８３】
なお、図５では省略されているが、この携帯記録再生装置７０は、バッテリで駆動される。そのため、装置７０は、一般的な２次電池や乾電池を電源供給源とする電源部が設けられると共に、充電部が設けられる。充電部は、ミュージックサーバ５０と携帯記録再生装置７０とが接続線あるいは装着部によって直接的に接続される場合、音楽データの転送と共に、ミュージックサーバ５０から電力が供給され装置７０の２次電池の充電が行われる。勿論、外部の充電電源によって装置７０の２次電池の充電をするようにもできる。なお、電源の供給源としては、乾電池による電源および２次電池を用いる充電電源の何方か一方だけを用いるまたは設けるようにしてもよい。
【００８４】
図６は、上述の携帯記録再生装置７０の他の例を示す。なお、この図６において、上述の図５と共通する部位に対しては同一の番号を付し、詳細な説明を省略する。図６に示される携帯記録再生装置１７０は、上述の図５の構成に対して、ＨＤＤ（あるいはフラッシュメモリ）１０６ａとバス１３０との間にスイッチ回路２００が挿入される。スイッチ回路２００の一方の選択端２００ａがバス１３０と接続され、他方の選択端２００ｂがインターフェイス３５と接続される。スイッチ回路２００によって、ＨＤＤ１０６ａがバス１３０と分離される。
【００８５】
ミュージックサーバ５０からの圧縮音楽データ転送の際は、スイッチ回路２００において選択端２００ｂに切り替えまたは選択端２００ｂが選択される。インターフェイス３４および３５を介して、ＨＤＤ１０６ａとミュージックサーバ５０のバス４０とが直接的に接続される。ＨＤＤ１０６ａは、サーバ５０のＣＰＵ８から見ると、恰もミュージックサーバ５０の記録媒体であるかのように見える。ミュージックサーバ５０のＣＰＵ８によって、ＨＤＤ１０６ａの直接的な制御が可能とされる。ミュージックサーバ５０および携帯記録再生装置７０との間での、圧縮音楽データの移動や複写などを容易に行える。
【００８６】
次に、上述のように構成されたシステムの動作について説明する。先ず、ミュージックサーバ５０単独で実行される機能について説明する。図７は、ＣＤ−ＲＯＭドライブ９に装着されたＣＤ５５の音楽データを、ミュージックサーバ５０のＨＤＤ１０のディスクに記録する際の処理の一例のフローチャートである。
【００８７】
最初のステップＳ１０では、ユーザによる、ＣＤ５５の音楽データのＨＤＤ１０への記録要求が待たれる。例えばユーザによって入力操作部１を用いて記録要求が入力されると、処理はステップＳ１１へ移行する。ステップＳ１１では、ユーザによって要求された記録が「高速記録」か「１倍速での記録」かが判断される。例えば、上述のステップＳ１０で記録要求が出される際に、ユーザによって、記録の方法、すなわち、記録を高速で行うか１倍速で行うかが共に指定される。ここでいう「１倍速の記録」とは、ＣＤ５５を規定されている標準速度で読み出してＨＤＤ１０のディスクに記録する動作を指し、「高速記録」とは、ＣＤ５５で規定されている標準速度の２倍以上の速度で読み出してＨＤＤ１０のディスクに記録する動作をいう。
【００８８】
若し、ステップＳ１１で、「高速記録」を行うことが指定された場合、処理はステップＳ１２に移行し、サーバ５０、６０の課金システムが起動される。サーバ５０、６０の課金システムによる処理は、後述する。サーバ５０の課金システムによる課金処理が行われ、インターネットサーバ６０他の装置から高速記録が許可されると、処理はステップＳ１３に移行し、圧縮エンコーダ１２において高速圧縮処理が起動され、処理はステップＳ１５へ移行する。
【００８９】
一方、ステップＳ１１で１倍速で記録を行うことが指定された場合、処理はステップＳ１４へ移行し、圧縮エンコーダ１２で、低速圧縮処理が起動される。処理はステップＳ１５へ移行する。
【００９０】
ステップＳ１５では、ＣＰＵ８の制御に基づき、所定の速度で以てＣＤ−ＲＯＭドライブ９が駆動され、ＣＤ−ＲＯＭドライブ９に装填されたＣＤ５５に記録された音楽データが読み出される。読み出された音楽データは、圧縮エンコーダ１２で圧縮符号化され、ＨＤＤ１０のディスクに転送され記録される。
【００９１】
ステップＳ１６で、ＨＤＤ１０へのＣＤ５５から読み出された圧縮音楽データの転送が終了したとされたら、次のステップＳ１７でＣＤ−ＲＯＭドライブ９からＨＤＤ１０へのデータの転送が禁止とされ、さらに次のステップＳ１８で圧縮エンコーダ１２の圧縮処理が停止される。
【００９２】
図８は、上述の図７のフローチャートのステップＳ１２における課金システムの課金処理の一例を示すフローチャートである。課金処理は、ミュージックサーバ５０とインターネットサーバ６０との間でデータ通信が行われることによってなされる。図８Ａは、ミュージックサーバ５０での課金処理システムでの課金処理を示し、図８Ｂは、インターネットサーバ６０での課金処理システムの課金処理を示す。
【００９３】
課金処理が開始されると、先ず、図８ＡのステップＳ２０で、ミュージックサーバ５０とインターネットサーバ６０との間で、所定のプロトコルで以て通信が開始される。ステップＳ２１で、サーバ５０とサーバ６０との接続が確立されサーバ５０とサーバ６０との間で通信可能なことが確認されると、処理はステップＳ２２に移行する。
【００９４】
ステップＳ２２では、ＣＤ−ＲＯＭドライブ９に装填されＨＤＤ１０に転送し記録するＣＤ５５のＴＯＣ情報がミュージックサーバ５０からインターネットサーバ６０に対して送出される。ＣＤ５５のＴＯＣ情報と共に、高速記録を行う旨を示す高速記録情報がミュージックサーバ５０からインターネットサーバ６０に送出される。
【００９５】
一方、図８Ｂにおいて、インターネットサーバ６０では、ミュージックサーバ５０からの高速記録情報ならびにＴＯＣ情報の供給または送信されてくるのが待たれる（ステップＳ３０）。サーバ６０でこれらの高速記録情報、ＴＯＣ情報が受信されたら、ステップＳ３１で、送信されてきたＴＯＣ情報に基づいてサーバ６０内のデータベース若しくは外部のデータベースを用いて、送信されてきたＴＯＣ情報の検索が行われる。ＴＯＣ情報に対応する情報を検索することによりＣＤ５５が特定される。
【００９６】
次のステップＳ３２で課金処理がなされる。高速記録が行われた曲数などの情報に基づいて課金する金額が算出されると共に、課金は、例えば、予め登録されたユーザのクレジットカード番号に基づき、ユーザによって指定された銀行の口座から引き落とされることで行うことができる。課金方法は、これに限らず、例えば、ミュージックサーバ５０にプリペイドカードを読み取る機能を設けておき、設定された課金額がミュージックサーバ５０に対して送出され、ユーザがプリペイドカードから課金された金額が減額されることによって課金額を支払うという方法も考えられる。また、ＴＯＣ情報に基づき、ＣＤ５５の内容によって課金額を変えたり、ＣＤ５５から読み出された音楽データのＨＤＤ１０のディスクへの記録を禁止することもできる。
【００９７】
ステップＳ３３で、課金情報がミュージックサーバ５０に対して送出される。そして、図８Ａにおいて、ミュージックサーバ５０側で、送信されてきた課金情報の内容が確認がなされる（ステップＳ２３）。インターネットサーバ６０側でも、ミュージックサーバ５０で課金情報が受信されたかどうかが確認される（ステップＳ３４）。例えば、ミュージックサーバ５０側で受信された課金情報にエラーが無く、正しく受信されたことが確認されたときに、ミュージックサーバ５０からサーバ６０に確認済みを表すデータを送信することによって行われる。
【００９８】
図８Ａに戻り、ステップＳ２３でミュージックサーバ５０側で受信した課金情報が確認されると、処理はステップＳ２４に移行し、受信された課金情報などが表示部５３に表示される。ステップＳ２５で、ＣＤ−ＲＯＭドライブ９によってＣＤ５５から高速で音楽データが読み出され、圧縮エンコーダ１２で高速圧縮速度で圧縮処理が行われ、圧縮エンコーダ１２からの圧縮音楽データがＨＤＤ１０に供給され、ＨＤＤ１０のディスクに記録される。このステップＳ２５は、上述の図７におけるステップＳ１５に対応する。
【００９９】
ところで、この実施の一形態では、ミュージックサーバ５０と携帯記録再生装置７０との間で、連携動作が可能とされる。例えば、ミュージックサーバ５０から携帯記録再生装置７０に対して音楽データを移動する際には、サーバ５０と装置７０の間での連携動作がなされる。図９は、この移動の一例のフローチャートを示す。
【０１００】
先ず、最初のステップＳ４０で、ミュージックサーバ５０と携帯記録再生装置７０とが、インターフェイス３４および３５で接続されているかどうかが判断される。サーバ５０と装置７０との接続の検知は、例えばインターフェイス３４および３５との間で所定の信号のやり取りを行うことでなされる。サーバ５０と装置７０との接続の検知は、これに限らず、ミュージックサーバ５０および携帯記録再生装置７０とを接続する部分に、スイッチ機構を設け、機械的な検出機構を用いてサーバ５０と装置７０との接続の検知を行うこともできる。
【０１０１】
サーバ５０と装置７０との接続がステップＳ４０で確認されると、次のステップＳ４１で、ＨＤＤ１０に記録され蓄積されている音楽データの、携帯記録再生装置７０への移動が要求されているかどうかが判断される。例えば、表示部５３に対してＨＤＤ１０に蓄積されている圧縮音楽データが曲名をはじめとする情報のリスト表示され、ユーザによって、入力操作部１の所定のポインティングデバイスにより、表示部５３に表示されているリスト表示から所定の圧縮音楽データが選択される。さらに、入力操作部１からユーザにより選択された圧縮音楽データに対して、携帯記録再生装置７０への移動の指示が入力される。
【０１０２】
入力操作部１を用いる移動の指示の入力方法は、様々に考えられる。例えば、表示部５３に移動を指示するボタンが表示され、このボタンを入力操作部１のポインティングデバイスを用いて指定することで行うことができる。例えば、圧縮音楽データ毎にアイコンを表示部５３に表示し、表示部５３に表示されているアイコンを、やはり表示部５３に表示されている移動先の携帯記録再生装置７０を示すアイコン上へと移動する、所謂ドラッグ＆ドロップによって行うことも可能である。勿論、入力操作部１に設けられた操作スイッチの操作により移動の指示を行ってもよい。
【０１０３】
ステップＳ４１で圧縮音楽データの移動要求があるとされたら、ステップＳ４２で、サーバ５０側の例えばＣＰＵ８によって移動が指定された圧縮音楽データのファイルサイズ、すなわちデータ量が調べられる。次のステップＳ４３で、例えば携帯記録再生装置７０のＣＰＵ１０５によってＨＤＤ１０６の空き容量、すなわち、記録可能な記憶容量が調べられる。このＨＤＤ１０６の空き容量と、ステップＳ４２で調べられた移動が指定された圧縮音楽データのファイルサイズとが例えばサーバ５０のＣＰＵ８で比較される。ステップＳ４２での比較結果に基づき、ＣＰＵ８で移動が指定された圧縮音楽データがこのＨＤＤ１０６に記録可能であるかどうかが判断される。若し、ＨＤＤ１０６への記録が可能であるとされれば、処理はステップＳ４５に移行し、サーバ５０から装置７０に向けて移動が指定された圧縮音楽データの転送が開始される。
【０１０４】
一方、ステップＳ４３で、携帯記録再生装置７０のＨＤＤ１０６に空き容量が不足していると判断されれば、処理はステップＳ４４に移行する。ステップＳ４４では、移動が指定された圧縮音楽データのＨＤＤ１０６への記録が可能なように、装置７０のＣＰＵ１０５によって、ＨＤＤ１０６に既に記録されている圧縮音楽データが自動的または後述する手順、手法に基づいて削除され、処理はステップＳ４５に移行する。
【０１０５】
ステップＳ４４での圧縮音楽データの削除は、ＨＤＤ１０６に既に記録されている圧縮音楽データの、所定のパラメータに基づき、ＣＰＵ１０５の制御のもとに自動的に行われる。例えば、携帯記録再生装置７０において、ＨＤＤ１０６に記録されている圧縮音楽データ毎に再生回数をカウントしておき、再生回数の少ないものから順にＨＤＤ１０６から削除することが考えられる。また、ＨＤＤ１０６に記録された日付の古い順に、ＨＤＤ１０６に記録されている圧縮音楽データを削除するようにもできる。
【０１０６】
ステップＳ４４でＨＤ１０６から圧縮音楽データを自動的に削除する際に、ユーザにとって重要な圧縮音楽データがＨＤ１０６から削除されてしまうこともあり得る。これを防止するために、ミュージックサーバ５０の表示部５３や携帯記録再生装置７０のＬＣＤ１２０に、ＨＤ１０６から自動的に圧縮音楽データが削除される動作状態になっていること、削除されるデータのリストを表示するなどの警告表示を行い、ユーザの確認を得てからＨＤ１０６から圧縮音楽データを削除するようにもできる。ミュージックサーバ５０の表示部５３や携帯記録再生装置７０のＬＣＤ１２０に対して、ＨＤＤ１０６に既に記録されている圧縮音楽データのリストを表示させ、削除する圧縮音楽データをユーザ自身が選択するという方法もとれる。
【０１０７】
上述のステップＳ４３およびステップＳ４４の処理により、ＨＤ１０に記憶されている圧縮音楽データのうち移動が指定された圧縮音楽データの、ＨＤＤ１０６への記録が可能な状態にされると、ステップＳ４５で、ミュージックサーバ５０から携帯記録再生装置７０への圧縮音楽データの送信、すなわち転送が開始される。すなわち、ＨＤＤ１０から読み出された圧縮音楽データは、バス４０ならびにインターフェイス３４を介して携帯記録再生装置７０に供給される。携帯記録再生装置７０において、インターフェイス３４を介して供給された圧縮音楽データがインターフェイス３５を介してＨＤＤ１０６に記録される。
【０１０８】
転送された圧縮音楽データは、ミュージックサーバ５０側のＨＤＤ１０にも装置７０への転送前と同様に存在している。この実施の一形態では、装置７０への転送済み、すなわち装置７０に移動され、ＨＤＤ１０に存在する、該当する圧縮音楽データの再生が禁止とされる（ステップＳ４６）。例えば、装置７０への移動が完了した時点でＨＤ１０の圧縮音楽データに対して再生禁止を示す再生禁止フラグが立てられる。この再生禁止フラグにより、サーバ５０のＣＰＵ８によって装置７０に移動された圧縮音楽データの再生が禁止されると共に、ＨＤＤ１０に記憶されている圧縮音楽データがミュージックサーバ５０から携帯記録再生装置７０へと、仮想的に音楽データが移されたことになる。したがって、複数の圧縮音楽データのうちサーバ５０または装置７０で再生できる音楽データは、常に一つしか存在しないように管理され、不正な音楽データの複製が防止される。
【０１０９】
次のステップＳ４７では、次の圧縮音楽データの装置７０への移動要求があるかどうかが判断される。若し、さらに他の圧縮音楽データの移動を行いたい場合には、処理はステップＳ４２に戻される。これ以上の音楽データの移動要求が無い場合には、一連の音楽データの移動の処理が終了される。
【０１１０】
なお、上述では、図９のフローチャートのステップＳ４２〜ステップＳ４６でＨＤＤ１０に記憶されている複数の圧縮音楽データのうちの１つの圧縮音楽データを、サーバ５０から装置７０へ移動するように説明されているが、これに限定されず、複数の圧縮音楽データをまとめてサーバ５０から装置７０へ移動するようにもできる。
【０１１１】
上述した実施の一形態では、ステップＳ４６の処理で、移動元であるミュージックサーバ５０のＨＤＤ１０において、移動された圧縮音楽データは、再生禁止とされるだけで、圧縮音楽データ自身は存在はしているように説明したが、これは例に限定されず、移動された圧縮音楽データをＨＤＤ１０から削除、すなわちデータ自身を消去するようにしてもよい。
【０１１２】
上述した実施の一形態では、圧縮音楽データをミュージックサーバ５０から携帯記録再生装置７０へ移動する例について説明したが、逆方向への移動、すなわち、携帯記録再生装置７０のＨＤＤ１０６に記録されている圧縮音楽データを、ミュージックサーバ５０のＨＤＤ１０へと移動させることも、図９に示したフローチャートと同様の処理に従って実行が可能である。
【０１１３】
このとき、ミュージックサーバ５０から携帯記録再生装置７０へ移動した圧縮音楽データを、再び携帯記録再生装置７０からミュージックサーバ５０へ移動することによって、ミュージックサーバ５０において、ＨＤＤ１０に記憶されている複数の圧縮音楽データのうち、装置７０から移動されてきた圧縮音楽データの再生禁止フラグが解除される。すなわち、再生禁止フラグが解除されることによって、移動元となっている圧縮音楽データは、再びミュージックサーバ５０において再生することができるようになる。この際、装置７０のＨＤＤ１０６に記憶されていた、移動された圧縮音楽データは、データ自身をＨＤＤ１０６から消去するか、またはＨＤＤ１０６の管理テーブル上から移動された圧縮音楽データの管理データを削除される。
【０１１４】
この実施の一形態では、ユーザは、ミュージックサーバ５０のＨＤＤ１０に記録されている音楽データを適宜に選択したリストであるプログラムリストを作成することができる。ミュージックサーバ５０において、プログラムリストの作成および編集を行う編集画面が表示部５３に表示され、ユーザは、この編集画面を用いて既存のプログラムリストの編集や、新規のプログラムリストの作成を行うことができる。そして、ユーザは、このプログラムリストを用いて、記録された音楽データの管理を行うことができる。作成されたプログラムリストは、ミュージックサーバ５０内の、所定の記憶手段、例えばＨＤＤ１０に記憶される。ミュージックサーバ５０は、プログラムリストを複数、持つことができる。
【０１１５】
例えばユーザは、プログラムリストによって、ミュージックサーバ５０のＨＤＤ１０に多数蓄積されている音楽データを、好みに応じて、例えばＣＤアルバムのようにまとめて再生し、楽しむことができる。さらに、このプログラムリストを用いて、ミュージックサーバ５０から携帯記録再生装置７０へ、複数の音楽データを一括して移動させることができる。
【０１１６】
この発明では、複数の音楽データを一括して移動させる際に用いられるプログラムリストを編集するための、専用的な編集手段を設ける。以下、この音楽データの一括移動のプログラムリストおよびプログラムリストの作成ならびに編集について説明する。
【０１１７】
なお、以下では、ミュージックサーバ５０のＨＤＤ１０に蓄積されている音楽データのリストを蓄積リストと称し、ミュージックサーバ５０から携帯記録再生装置７０に転送する音楽データのリストを転送リストと称する。これら蓄積リストおよび転送リストは、共に上述のプログラムリストの一種である。
【０１１８】
図１０は、転送リストの一例の編集画面を示し、転送リストおよび蓄積リストについて例示する。図１０に示されるように、表示部５３に転送リスト編集画面３１０が表示される。編集画面３１０に、リスト領域３００とリスト領域３０１とがウィンドウ的に表示される。リスト領域３００には、蓄積リストが表示され、ミュージックサーバ５０に蓄積される音楽データがリスト表示される。リスト領域３０１には、編集対象である転送リストが表示され、ミュージックサーバ５０から携帯記録再生装置７０に移動させようとする音楽データがリスト表示される。このとき、音楽データの表示は、音楽データに対応するタイトル情報を表示するようにすると、ユーザにとって認識が容易である。
【０１１９】
互いに逆方向を向いた三角形のボタン３０２および３０３は、リスト領域３０１に表示される転送リストの編集を行うためのボタンである。ボタン３０２は、リスト領域３００に表示された蓄積リストのうち、選択された音楽データをリスト領域３０１の転送リストに加えるためのボタンである。ボタン３０３は、リスト領域３０１に表示された転送リストのうち、選択された音楽データを転送リストから削除するためのボタンである。
【０１２０】
なお、ミュージックサーバ５０は、複数の異なるプログラムリストを持つことができる。転送リストが複数存在する場合には、例えば、図１０に一例が示されるように、リスト領域３０１の上部にタブ３０４Ａ、３０４Ｂおよび３０４Ｃが表示され、これらタブ３０４Ａ、３０４Ｂおよび３０４Ｃを選択して指定することで、リスト領域３０１内に表示させる転送リストを切り替えることができる。図示は省略するが、この場合、リスト領域３０１内の所定位置に、後述するＩＤを表示するとよい。
【０１２１】
編集画面３１０における各種操作は、入力操作部１（図２参照）で行われる。表示部５３には、入力操作部１の所定の操作に応じた表示がなされる。ユーザは、表示部５３の表示を見ながら、入力操作部１に設けられた、例えばジョグダイアルやプッシュ式の操作キー、各種スイッチ等を用い、編集画面３１０上の所定位置の指定や、コマンド入力を行う。この入力操作部１に対してなされた各種操作に応じた信号がバス４０を介してＣＰＵ８に供給される。
【０１２２】
なお、上述の図１では、入力操作部１は、ミュージックサーバ本体５１に直接的に設けられるように説明しているが、これはこの例に限定されない。例えば、図１１に一例が示されるように、サーバ本体５１と有線で接続される、外部入力操作部１’を設けることもできる。外部入力操作部１’は、サーバ本体５１のバス４０に対して、直接的あるいは所定のインターフェイスを介して間接的に接続される。外部入力操作部１’には、編集画面３１０による転送リスト編集用の各種操作子や、ミュージックサーバ５０から携帯記録再生装置７０への、転送リストに基づく音楽データの転送を指示する転送ボタンなどが設けられる。
【０１２３】
また、図１１の例では、サーバ本体５１に、携帯記録再生装置７０を装着するための装着部３１１が設けられている。装着部３１１には、インターフェイス３４が設けられている。装着部３１１に携帯記録再生装置７０を装着することで、インターフェイス３４と携帯記録再生装置７０のインターフェイス３５とが電気的に接続され、携帯記録再生装置７０とミュージックサーバ５０との間での通信が可能とされる。これにより、ミュージックサーバ５０から携帯記録再生装置７０に対する音楽データの転送ができるようになる。
【０１２４】
図１２は、プログラムリストの一例の管理方法を概念的に示す。プログラムリストは、プログラムファイルに格納される。プログラムファイルは、例えばミュージックサーバ５０のＨＤＤ１０の所定領域に格納され、ミュージックサーバ５０が持つあらゆるプログラムリストが格納される。プログラムファイルは、概念的には、図１２Ａに示されるような構造を有しており、ＩＤによってプログラムリストが互いに識別される。
【０１２５】
一方、携帯記録再生装置７０も各々固有のＩＤを有しており、携帯記録再生装置７０それぞれの個体を識別可能となっている。このＩＤは、図５の例では、例えばＲＯＭ１０４に予め記憶される。ミュージックサーバ５０に格納されるプログラムリストのＩＤと、携帯記録再生装置７０のＩＤとを関連付けることで、特定の携帯記録再生装置７０にのみ適用できるプログラムリストを作成することができる。例えば、プログラムリストのＩＤには、対応する携帯記録再生装置７０が有するＩＤと同一のＩＤが用いられる。
【０１２６】
図１２の例では、ある携帯記録再生装置７０に対応するプログラムリストに、ＩＤ＝３００が割り振られている。すなわち、このＩＤ＝３００で特定されるプログラムリストに基づく音楽データの移動は、対応するＩＤを有する携帯記録再生装置７０に対してのみ、行われる。
【０１２７】
異なるＩＤ（例えばＩＤ＝３０１）を用いることで、異なるＩＤを有する携帯記録再生装置７０に対応するプログラムリストを定義することができる。ミュージックサーバ５０は、ＩＤによって識別することで、複数の携帯記録再生装置７０に対応するプログラムリストをそれぞれ持つことができる。
【０１２８】
また、プログラムリストのＩＤによって、そのプログラムリストの種類を識別するようにもできる。
【０１２９】
上述した編集画面３１０でプログラムリストを編集する際は、ＩＤによって編集対象となるプログラムリストが指定され、指定されたプログラムリストがプログラムファイルから読み出される。読み出されたプログラムリストは、ＩＤと共に、例えばＲＡＭ５の所定領域に格納される（図１２Ｂ）。ＣＰＵ８は、ＲＡＭ５に格納されたプログラムリストにより、編集画面３１０のリスト領域３０１への転送リストの表示制御を行う。ユーザは、この編集画面３１０の表示に基づいて転送リストの編集、例えば、転送リストへの音楽データの追加、あるいは、転送リストからの音楽データの削除などを行う。ＲＡＭ５に格納されたプログラムリストは、編集結果に応じて更新される。
【０１３０】
実際の、ミュージックサーバ５０から携帯記録再生装置７０に対する音楽データの転送は、編集されたプログラムリストを用いて行われる。したがって、音楽データの転送に用いられるプログラムリストの編集作業は、ミュージックサーバ５０に対して携帯記録再生装置７０が装着あるいは接続されているか否かに関わらず、実行することができる。
【０１３１】
図１３は、転送リストの編集および編集された転送リストに基づく音楽データの転送の処理の一例のフローチャートである。先ず、最初のステップＳ５０で、転送リストの編集が開始される。例えば、入力操作部１’には、ミュージックサーバ５０に対して転送リストの編集を指示するリスト編集ボタンが設けられる。ユーザによってこのリスト編集ボタンが押下されることで、ＨＤＤ１０内に記録された、リスト管理部分が検索される。
【０１３２】
例えば、リスト管理部分は、プログラムファイルの先頭の所定領域に設けられ、プログラムリストに関する情報が記録される。ＣＰＵ８によって、リスト管理部分に書かれた情報が読み込まれ、予め決められたＨＤＤ１０内の転送リストデータのアドレスが取得される。そして、取得されたアドレスに書かれた転送リストがＣＰＵ８によって取り出され、取り出された転送リストに基づく表示データが生成される。表示データは、ＣＰＵ８からＬＣＤドライバ２５を介してＬＣＤ２６に供給され、表示部５３への転送リストの表示が行われる。
【０１３３】
このようにして、上述の図１０に示した編集画面３１０が表示部５３に表示され、転送リストの編集が行える状態となる。この指示の際に、音楽データの転送先となる携帯記録再生装置７０のＩＤが入力される。これは、例えば、編集画面３１０（図１０参照）のタブ３０４Ａ〜３０４Ｃから所望のものを選択して指定することでなされる。ここでは、ＩＤ＝３００が入力されたものとする。
【０１３４】
次のステップＳ５１で、ＨＤＤ１０に格納されているプログラムファイルから、ＩＤ＝３００であるプログラムリストが検索される。検索の結果（ステップＳ５２）、若し、ＩＤ＝３００であるプログラムリストが存在しなければ、処理はステップＳ５３に移行し、ＩＤ＝３００である、新規のプログラムリストが例えばＨＤＤ１０のプログラムファイル内に作成される。新規プログラムリストが作成されれば、処理はステップＳ５４に移行する。一方、ＩＤ＝３００であるプログラムリストが存在する場合には、処理はそのままステップＳ５４に移行する。
【０１３５】
ステップＳ５４で、ＩＤ＝３００であるプログラムリストがオープンされる。すなわち、上述の図１２を参照し、ＨＤＤ１０上のプログラムファイル内で、ＩＤ＝３００であるプログラムリストが読み出される。読み出されたプログラムリストは、ＲＡＭ５に格納され、ＣＰＵ８に読み込まれる。プログラムリストがＣＰＵ８に読み込まれると、次のステップＳ５５で、ＣＰＵ８の制御により表示部５３に対して、図１０に示される編集画面３１０が表示される。編集画面３１０が表示されることで、ユーザは、転送リストの編集ができるようになる。
【０１３６】
編集画面３１０において、リスト領域３０１には、上述のステップＳ５４でオープンされたプログラムリストが表示される。プログラムリストが新規に作成されたものである場合のように、プログラムリストに含まれるデータが無いときは、リスト領域３０１（転送リスト）は、空欄とされる。一方、リスト領域３００には、ＨＤＤ１０に蓄積されている音楽データが一覧で表示される（蓄積リスト）。なお、これに限らず、ＨＤＤ１０に蓄積されている全音楽データに対して所定の条件に基づき検索を行い、検索結果により絞り込まれたリストを表示するようにしてもよい。
【０１３７】
ユーザは、上述したように、ボタン３０２および３０３を適宜に用いて、リスト領域３００とリスト領域３０１との間で音楽データのやり取りを行い、転送リストへの音楽データの追加および転送リストからの音楽データの削除を行う。
【０１３８】
ユーザによる転送リストの編集作業が終了すると、処理はステップＳ５６に移行し、ミュージックサーバ５０から携帯記録再生装置７０への、転送リストに基づく音楽データの転送が指示される。例えば、入力操作部１’には、ミュージックサーバ５０に対して音楽データの転送を指示する転送ボタンが設けられる。ユーザによってこの転送ボタンが押下され、音楽データの転送が指示される。
【０１３９】
次のステップＳ５７では、ミュージックサーバ５０に対して携帯記録再生装置７０が実際に装着されているかどうかが判断される。若し、装着されていないならば、ステップＳ５８でその旨通知する警告が出され、処理は再びステップＳ５７に戻され、携帯記録再生装置７０の装着が待機される。一方、ステップＳ５７で、ミュージックサーバ５０に対する携帯記録再生装置７０の装着が確認されたら、処理はステップＳ５９に移行する。
【０１４０】
なお、ミュージックサーバ５０に携帯記録再生装置７０が装着されているかどうかを判断するには、様々な方法が考えられる。その一例の方法を説明する。携帯記録再生装置７０は、ミュージックサーバ５０に装着されたことを、ハードウェア的に検出する、例えばマイクロスイッチといった検出手段を有する。携帯記録再生装置７０がミュージックサーバ５０に装着されると、この検出手段によってその旨検出され、携帯記録再生装置７０において、インターフェイス３５の所定のピン、例えば３番ピンが’Ｈ’状態とされる。
【０１４１】
ミュージックサーバ５０側では、インターフェイス３４の対応するピンがＣＰＵ８の割り込み端子に接続されている。インターフェイス３４の３番ピンの状態が’Ｈ’とされたら、ＣＰＵ８に対して割り込みが発生される。ＣＰＵ８は、この割り込みにより、所定のレジスタの値を’Ｈ’状態にする。上述のステップＳ５７では、ＣＰＵ８により上述の所定のレジスタの値が検出され、その値が’Ｈ’であれば、携帯記録再生装置７０が所定に装着されていると判断する。
【０１４２】
図１３のフローチャートに戻り、ステップＳ５７で携帯記録再生装置７０がミュージックサーバ５０に装着されていると判断されれば、処理はステップＳ５９に移行する。ステップＳ５９では、装着された携帯記録再生装置７０のＩＤのチェックがなされ、ＩＤが上述のステップＳ５０で入力した値（ＩＤ＝３００）であるかどうかが判断される。ＩＤのチェックは、例えば、ミュージックサーバ５０のＣＰＵ８によって、インターフェイス３４および３５を介して携帯記録再生装置７０のＲＯＭ１０４に記憶されているＩＤを読み出すことでなされる。
【０１４３】
若し、装着された携帯記録再生装置７０のＩＤが、上述のステップＳ５０で入力されたＩＤと異なれば、処理はステップＳ５８に移行し、その旨通知する警告が出される。一方、装着された携帯記録再生装置７０のＩＤがステップＳ５０で入力されたＩＤと一致すれば、処理はステップＳ６０に移行する。
【０１４４】
ステップＳ６０では、上述のステップＳ５５で編集された転送リストに基づき、ミュージックサーバ５０から携帯記録再生装置７０へ音楽データが移動される。このとき、ミュージックサーバ５０から携帯記録再生装置７０に、移動された音楽データが一覧された転送リストも共に転送するようにできる。
【０１４５】
このように、この発明においては、携帯記録再生装置７０毎に固有の転送リストが作成される。携帯記録再生装置７０への、音楽データの一括的な転送は、この携帯記録再生装置７０に固有の転送リストを用いてなされる。また、転送リストは、ミュージックサーバ５０側で保持され、携帯記録再生装置７０のミュージックサーバ５０への装着が検出された後に、転送リストによる音楽データの転送が行われる。そのため、ミュージックサーバ５０に携帯記録再生装置７０が装着されていなくても、転送リストの編集を行うことができる。
【０１４６】
ここで、携帯記録再生装置７０のＨＤＤ１０６に、以前ミュージックサーバ５０から移動された音楽データが未だ記憶されている場合について考える。上述したように、この実施の一形態では、ミュージックサーバ５０から携帯記録再生装置７０に移動された音楽データは、その音楽データが携帯記録再生装置７０からミュージックサーバ５０に対して再び移動され戻されないと、ミュージックサーバ５０側で再生不可の状態とされている。
【０１４７】
このとき、例えば携帯記録再生装置７０のＨＤＤ１０６に記憶されている音楽データを、ミュージックサーバ５０から転送された音楽データで上書きされてしまったり、転送された音楽データを携帯記録再生装置７０に記憶する際に、以前の音楽データを消去してしまったりすると、元々ミュージックサーバ５０から転送されたその音楽データがミュージックサーバ５０上で再生できなくなってしまう。
【０１４８】
そこで、ミュージックサーバ５０から携帯記録再生装置７０への、転送リストを用いての音楽データの転送の際に、携帯記録再生装置７０に記憶されている音楽データのリストをミュージックサーバ５０側で取得し、このリストと転送リストとを比較するようにする。そして、携帯記録再生装置７０側のリストにある音楽データの中で、転送リストにある音楽データと異なるデータがあれば、そのデータがミュージックサーバ５０に対して既に戻されているかどうかを調べる。そのデータがミュージックサーバ５０に戻されていなければ、ミュージックサーバ５０から携帯記録再生装置７０に対して、当該データを携帯記録再生装置７０のＨＤＤ１０６からミュージックサーバ５０のＨＤＤ１０に戻すように、命令が出される。
【０１４９】
なお、携帯記録再生装置７０側のリストと、転送リストとで共通する音楽データがあれば、そのデータの転送を省略することができ、転送処理に要する時間を短縮できる。
【０１５０】
携帯記録再生装置７０側のリストは、例えば、ミュージックサーバ５０から携帯記録再生装置７０のＣＰＵ１０５に対してインターフェイス３４および３５を介してリスト取得の命令を与えて得るようにできる。ＣＰＵ１０５は、この命令に基づきＨＤＤ１０６内の音楽データのリストを作成し、作成されたリストを、インターフェイス３５および３４を介してミュージックサーバ５０に供給する。また、これに限らず、上述の転送リスト作成の際に、前回の転送リストを保存しておき、作成された転送リストと前回の転送リストとを比較するようにしてもよい。
【０１５１】
なお、上述では、ミュージックサーバ５０からの音楽データの転送先を、携帯記録再生装置７０としたが、これはこの例に限定されない。例えば、音楽データの転送先は、直径が略６４ｍｍの光磁気ディスクまたは光ディスクとしてもよい。例えば、ミュージックサーバ５０に、この直径が略６４ｍｍの光磁気ディスクまたは光ディスクに記録および／または再生が可能なドライブ装置を設ける。これによれば、直径が略６４ｍｍの光磁気ディスクまたは光ディスクがドライブ装置に装着されていなくても、前もって転送する音楽データを選択しておくことができる。直径が略６４ｍｍの光磁気ディスクまたは光ディスクが転送先の場合には、上述のＩＤのチェックを省略することもできる。
【０１５２】
また、上述では、圧縮符号化方式としてＡＴＲＡＣを用いて、ＨＤＤ１０やＨＤＤ１０６（ＨＤＤ１０６ａ）に記録される音楽データを圧縮符号化すると説明したが、これはこの例に限定されない。例えば、ＭＰ３と称される、ＭＰＥＧ
Ａｕｄｉｏ  Ｌａｙｅｒ  III (Moving Picture Experts Group Audio Layer III)といった圧縮符号化方式も、この発明に適用可能である。
【図面の簡単な説明】
【０１５３】
【図１】この発明によるミュージックサーバおよびミュージックサーバを用いたシステムを概略的に示す略線図である。
【図２】ミュージックサーバの構成の一例を示すブロック図である。
【図３】ＣＤ−ＲＯＭドライブで読み出された音楽データがハードディスクドライブに記録されるまでの信号フローを概略的に示す図である。
【図４】ハードディスクドライブから読み出された圧縮音楽データが再生処理されて端子に導出されるまでの信号フローを概略的に示す図である。
【図５】携帯記録再生装置の構成の一例を示すブロック図である。
【図６】携帯記録再生装置の他の例を示すブロック図である。
【図７】ミュージックサーバにおける、ＣＤの音楽データをハードディスクドライブに記録する際の処理の一例のフローチャートである。
【図８】ＣＤの音楽データをハードディスクドライブに高速記録する際の課金処理の一例を示すフローチャートである。
【図９】この発明に係る音楽データの移動の処理の一例のフローチャートである。
【図１０】転送リストの一例の編集画面を示す略線図である。
【図１１】ミュージックサーバの外観の他の例を示す略線図である。
【図１２】プログラムリストの一例の管理方法を概念的に示す略線図である。
【図１３】転送リストの編集および編集された転送リストに基づく音楽データの転送の処理の一例のフローチャートである。
【符号の説明】
【０１５４】
１  入力操作部
８  ＣＰＵ
９  ＣＤ−ＲＯＭドライブ
１０  ハードディスクドライブ
１１  ＤＲＡＭ
１２  圧縮エンコーダ
１９  通信回線
２０  モデム
２１  圧縮デコーダ
２６  ＬＣＤ
３４，３５  インターフェイス
４０  バス
５０  ミュージックサーバ
５５  ＣＤ
６０  インターネットサーバ
７０  携帯記録再生装置
１０６  ハードディスクドライブあるいはフラッシュＲＡＭ
１０７  ＤＲＡＭ
１０８  圧縮エンコーダ
１１５  圧縮デコーダ
１２０  ＬＣＤ
１３０  バス
２００  スイッチ回路
３００  リスト領域
３０１  リスト領域
３０２，３０３  ボタン
３０４Ａ，３０４Ｂ，３０４Ｃ  タブ
３１０  転送リスト編集画面
３１１  装着部
【図１】
2006221793.tif 000003
【図２】
2006221793.tif 000004
【図３】
2006221793.tif 000005
【図４】
2006221793.tif 000006
【図５】
2006221793.tif 000007
【図６】
2006221793.tif 000008
【図７】
2006221793.tif 000009
【図８】
2006221793.tif 000010
【図９】
2006221793.tif 000011
【図１０】
2006221793.tif 000012
【図１１】
2006221793.tif 000013
【図１２】
2006221793.tif 000014
【図１３】
2006221793.tif 000015